(57)【特許請求の範囲】
【請求項１】
不動体（１５０、２５０）に固定された識別子（１１０、２１０）と、
前記識別子から身元を取得するように構成された身元リーダ（１１５，２１５）と、前記不動体から分離している電池システム（１２０）とを具備する電池装置（１００，２００）と、
を具備し、
前記電池装置は、前記身元リーダが前記身元を取得できないことに応答して、前記電池システムの少なくとも一部を無効にするように構成され、前記電池システムは、前記電池システムと異なる主電源を有するシステムのバックアップ電源として配置される電池設備。
【請求項２】
前記電池システムは、移動体通信基地局のバックアップ電源として使用されるために適合される請求項１記載の電池設備。
【請求項３】
前記身元リーダは、前記身元が身元リーダで取得されたかどうかを前記電池システムに通知するため、前記電池システムとの有線接続を有し、又は、前記身元リーダは、前記身元が身元リーダで取得されたかどうかを前記電池システムに無線信号で通知するため、前記電池システムの送信範囲内に配置される請求項１又は２に記載の電池設備。
【請求項４】
前記電池システムは、前記身元リーダが前記身元を取得できなかったことを示す前記身元リーダからの通知に応答して、それ自体の少なくとも一部を無効にするように構成される前記請求項１乃至３のいずれかに記載の電池設備。
【請求項５】
前記電池システムは、前記身元リーダが前記身元を取得できることを示す前記身元リーダからの通知がないことに応答して、それ自体の少なくとも一部を無効にするように構成される前記請求項１乃至４のいずれかに記載の電池装置。
【請求項６】
前記電池システムは、電池セル（１４５）と前記電池セルを監視するために配置されたコントローラ（１４０）とを含む電池モジュール（１３０）を具備する前記請求項１乃至５のいずれかに記載の電池装置。
【請求項７】
前記電池システムは、前記身元リーダが前記身元を取得できないことを示す前記身元リーダからの通知に応答して、前記電池セルの充電及び／又は放電を防止するように構成された請求項６記載の電池装置。
【請求項８】
前記電池システムは、前記身元リーダが前記身元を取得したことを示す前記身元リーダからの通知がないことに応答して、前記電池セルの充電及び／又は放電を防止するように構成された請求項６又は７記載の電池装置。
【請求項９】
前記電池システムは、前記身元リーダから通知を受け、前記電池システムの無効化を制御するように構成された監視ユニット（１２５）をさらに具備する前記請求項１乃至８のいずれかに記載の電池装置。
【請求項１０】
前記監視ユニットは、前記身元リーダで前記身元が取得されたことを示す前記身元リーダからの通知に応答して、前記電池モジュールに制御信号を送信するようにさらに構成され、前記電池モジュールは、前記制御信号がない場合、前記電池セルの充電及び／又は放電を防止するように構成された請求項６に従属する場合、請求項９記載の電池装置。
【請求項１１】
前記監視ユニットは、前記身元リーダが前記身元を取得できなかったことを示す前記身元リーダからの通知に応答して、制御信号を前記電池モジュールに送信するようにさらに構成され、前記電池モジュールは、前記制御信号に応じて、前記電池セルの充電及び／又は放電を防止するように構成された請求項６に従属する場合、請求項９又は１０記載の電池装置。
【請求項１２】
前記監視ユニットは、前記電池モジュールを監視し、前記電池モジュールの状態に関する情報をネットワーク（１６０）に提供するようにさらに構成された請求項６に従属する場合、請求項９乃至１１のいずれかに記載の電池装置。
【請求項１３】
前記電池モジュールは、前記監視ユニットに電源を供給するように配置された請求項６に従属する場合、請求項９乃至１２のいずれかに記載の電池装置。
【請求項１４】
前記電池モジュールは、前記身元リーダに電源を供給するように配置された請求項６に従属する場合、請求項７乃至１３のいずれかに記載の電池装置。
【請求項１５】
前記身元リーダは、無線信号を介して前記識別子から前記身元を取得するように構成された前記請求項１乃至１４のいずれかに記載の電池装置。
【請求項１６】
前記身元リーダは、前記識別子からの通知を介して前記身元を取得するように構成された前記請求項１乃至１５のいずれかに記載の電池装置。
【請求項１７】
前記身元リーダは、前記身元を通知するため前記識別子を作動させるように構成された送信機を具備する請求項１６記載の電池装置。
【請求項１８】
前記身元リーダによって取得された身元が記憶された身元に一致するかどうかを確認し、格納された前記身元と一致する身元が前記身元リーダによって取得されていない場合、前記電池システムの少なくとも一部を無効にするように構成された前記請求項１乃至１７のいずれかに記載の電池装置。
【請求項１９】
前記識別子は、受信信号からのエネルギーを使用して身元を通知するように構成された受動送信機を具備する前記請求項１乃至１８のいずれかに記載の電池設備。
【請求項２０】
前記識別子は、無線周波数識別、ＲＦＩＤ、タグである前記請求項１乃至１９のいずれかに記載の電池設備。
【請求項２１】
移動体通信システムの基地局、前記基地局は、前記請求項１乃至２０のいずれかに記載された電池設備を具備する。
【請求項２２】
不動体に永久的に固定された識別子（２１０）と、前記識別子から身元を取得するように構成されたセンサと、前記不動体と異なる電池システムとを具備する電池設備における電池システムの動作方法であって、前記電池システムは、前記電池システムとは異なる主電源を有するシステムへのバックアップ電源として配置され、
前記不動体に固定された前記識別子から前記身元を取得する前記センサを監視すること（３１０）と、
前記身元の取得の失敗に応答して前記電池システムの少なくとも一部を無効にすること（３３０）と、
を具備する方法。
【請求項２３】
不動体に永久的に固定された識別子の身元を示す通知を受信すること（３２０）をさらに具備する請求項２２記載の方法。
【発明の詳細な説明】
【技術分野】
【０００１】
本発明は、一般に、電池システムの盗難防止保護の分野に関する。具体的には、電池システムは、例えば、移動体通信システムの基地局のバックアップ電源として配置されてもよい。
【背景技術】
【０００２】
電源の供給停止時でも、移動体通信システムにおける基地局の稼働率の要求を満たすには、バックアップ電源、例えば電池システムが必要である。しかし、基地局はしばしば遠隔地に配置され、常に人員が配置されているわけではないため、電池の盗難を防ぐことが困難である。窃盗は費用がかかることを明らかにし、電池を使用しているサイトの稼働率に影響を及ぼす可能性がある。
【０００３】
これまでに知られている電池の盗難防止システムは、基地局の電池用のＧＰＳベースのシステムを含んでいる。これらの盗難防止システムにおいて、盗まれた電池を追跡し、電池が特定のエリア外にある場合、アラームを作動させるため、ＧＰＳトラッカが採用されている。
【０００４】
このタイプのシステムの特定の問題の１つは、ＧＰＳが機能しないか何らかの方法で作動しなくなり、その後アラームが作動されないことである。ＧＰＳは、衛星が機能するため妨害されていないチャネルも必要とする。さらに、ＧＰＳは屋内で機能しない場合がある。
【０００５】
アラームの他の問題は、窃盗自体を防止できないことである。代わりに、アラームは泥棒による発見のリスクを大きくするだけである。泥棒が警報システムを通る場合、電池は盗むのになお魅力的である。
【０００６】
上記の問題は、既存の盗難防止システムの信頼性が低く、耐障害性が望みどおりではないなどの欠点をもたらす。また、それらは、望む限りの窃盗を防ぐこともできない。
【発明の概要】
【０００７】
本開示の目的は、先行技術の上記問題の少なくともいくつかを軽減し、電池装置の電池を盗むことを阻止する改善された盗難防止をもたらす電池装置及び方法を提供することである。
【０００８】
したがって、一態様によれば、電池装置が提供される。電池装置は、身元（identity）リーダと電池システムを具備する。身元リーダは、不動体に固定された識別子から身元を取得するように構成されている。電池システムは、不動体とは異なるように配置されてもよく、電池装置は、身元リーダが身元を取得できないことに応答して、電池システムの少なくとも一部を無効にするように構成される。
【０００９】
この構成により、身元リーダは、身元又は身元リーダが改竄された、又は電池装置が意図した場所から取り外されたなどの理由で、身元が読み取れないアクションを起こすことができる。それに対する応答として、電池システムの少なくとも一部が無効とされる。これにより、取り外しの意義や電池の再利用の企てが低下されるため、盗難のリスクが軽減される可能性がある。
【００１０】
本明細書における「不動体」という用語は、固定又はそれを移動させるのが実際上非常に困難であるように配置された物体を指すことが理解される。不動体は、例えば、壁又は建物の一部であってもよい。
【００１１】
「識別子」とは、身元を記憶できる、又は身元に関連付けることができるデバイスを意味する。例えば、身元が関連付けられたＲＦＩＤタグ、又はコード自体が身元であることが可能なバーコードなどである。身元リーダは、関連付けられた身元を取得するため、識別子を読み取ることができる。
【００１２】
「異なる」という用語は、電池システムが不動体から分離していることを意味する。そのため、電池システムは、その場所から物理的に交換可能／取り外し可能である。しかし、本開示は、窃盗犯により実行されるような行為を減らすための盗難防止保護を提供する。
【００１３】
身元リーダは、識別子から身元を受信するように適合された受信機と呼ばれてもよい。
【００１４】
一実施形態において、身元リーダは、身元が身元リーダによって取得されたかどうかを電池システムに信号で伝えるため、電池システムへの有線接続を有してもよい。電池システムへの有線接続を有することは、通信チャネルの安全とより高い信頼性を可能とする。
【００１５】
他の実施形態において、身元リーダは、身元が身元リーダによって取得されたかどうかを電池システムに無線で知らせるために、電池システムの送信範囲内に配置されてもよい。この代替案は、電池システムへの配線を持たないリーダでより柔軟な配置を提供する。例えば、このリーダは電池システムから離れて配置されてもよい。多数の電池システムは、この身元リーダからの同じ信号に従うことが可能である。無線信号を使用することが可能である。
【００１６】
一実施形態において、電池システムは、身元リーダが身元を取得できないことを示す身元リーダからのシグナリングに応答して、それ自体の少なくとも一部を無効にするように構成されてもよい。この身元リーダで、電池システムは、身元が欠落しているか読み取れないことが通知され、電池システムは、少なくとも部分的に無効にすることができる。
【００１７】
他の実施形態において、電池システムは、身元リーダが身元を取得できることを示す身元リーダからの信号がないことに応答して、それ自体の少なくとも一部を無効にするように構成されてもよい。
【００１８】
これは、アクティブな信号ではなく、信号が存在しないと、電池システムが無効になる可能性があるという認識に基づいている。これは、電池システムの他のシステムへの接続を改竄したり、識別が他の方法で失敗したりした場合、電池システムの少なくとも一部が無効になる可能性があるため、より安全な盗難防止ソリューションを提供する。電池システムは、確実な身元証明がある場合にのみ完全に有効になるように構成できる。以前の盗難防止システムでは、中央制御装置が必要であったが、本実施形態の盗難防止ソリューションは、内蔵式であってもよい。盗難防止保護は、不動体に固定された識別子の身元以外の外部情報なしで得られる。電池装置は、身元の読み取りに基づき、それ自体で有効又は無効の状態にあると判断できる。
【００１９】
電池システムは、１つ以上の電池セルを含む１つ以上の電池モジュールと、１つ以上の電池セルを監視するように配置されたコントローラとを具備してもよい。
【００２０】
電池システムは、いくつかの実施形態において、身元リーダが身元を取得できたことを示す身元リーダからの信号に応答して、一つ以上の電池セルの充電及び／又は放電を防止する、又はコントローラに防止させるように構成されてもよい。
【００２１】
一実施形態において、電池システムは、身元リーダが身元を取得したことを示す身元リーダからの信号の欠如に応答して、電池セルの充電及び／又は放電を防止するように構成されてもよい。
【００２２】
それらの実施形態において、電池システムは、電池システムの中心機能を非アクティブ化することにより、身元リーダからの信号又は信号がないことに基づき、それ自体、すなわち、１つ以上の電池セルを充電及び／又は放電することを無効にすることができる。
【００２３】
したがって、電池システムの状態を制御して充電及び／又は放電を有効又は無効にするように適合された外部コントローラ又は関連する接続は不要である。この実施形態において、電池システムを無効にすることからコントローラを守るためにブロック又は改竄できる外部通信への依存が低減され、又は場合によっては排除され、それによって電池装置に実装された盗難防止保護のセキュリティが向上する。
【００２４】
一実施形態において、電池システムは、身元リーダから信号を受信し、電池システムの無効化を制御するように構成された監視ユニットをさらに具備してもよい。
【００２５】
監視ユニットは、電池装置の監視セクション又は監視と呼ばれることもある。
【００２６】
いくつかの実施形態において、監視ユニットは、身元リーダにおいて身元が取得されたことを示す身元リーダからの信号に応答して制御信号をコントローラに送信するように構成されてもよく、コントローラは、制御信号がない場合、電池セルの充電及び／又は放電を防止するように構成されることも可能である。
【００２７】
監視ユニットは、身元リーダが身元を取得できなかったことを示す身元リーダからの信号に応答して、電池モジュールに制御信号を送信するように構成されてもよい。電池モジュールは、制御信号に応じて電池セルの充電及び／又は放電を防ぐように構成されてもよい。
【００２８】
これは、アクティブな信号ではなく、信号がないと電池が無効になる可能性があるという認識に基づいている。上記の信号の使用は、電池システムを正しい場所から取り外すだけでなく、電池システムが無効になっている可能性があるため、電池システムから電池モジュールを取り外して再利用することを妨げることもある。
【００２９】
コントローラは、制御信号がないとき充電及び／又は放電を防ぐことができる。制御信号は、監視ユニットから発信される場合がある。これにより、電池ユニットを無効にするための監視ユニットからのアクティブな信号の必要性が減り、場合によっては排除される。電池モジュールのコントローラへの接続を改竄したり、コントローラとの識別又は通信が何らかの方法で失敗したりした場合、電池モジュールが少なくとも部分的に無効になることがある。電池モジュールは、肯定的な識別信号が送信された場合にのみ完全に有効になるように構成できる。
【００３０】
上記の実施形態では、盗難防止保護は２つの実質的に独立した回路に分割でき、監視ユニットは身元読み取りのエラーの検出を担当し、コントローラは監視ユニットが取り外されたかどうかの検知を担当する。言い換えれば、盗難防止保護は、身元リーダが身元を取得できないこと、及び／又は身元リーダからの信号がないことに基づいて実現することができる。
【００３１】
一実施形態において、監視ユニットは、コントローラを介して電池モジュールを監視し、電池モジュールの状態に関する情報をネットワークに提供するように構成されてもよい。ネットワークは、例えば、インターネット、ローカルエリアネットワーク、又はその他の種類の通信ネットワークである。
【００３２】
一実施形態において、電池モジュールは、監視ユニットに電源を供給するように構成されてもよい。これは有線で行うこともできるが、監視ユニットに電源を供給する他の方法も可能である。これにより、監視ユニットの外部電源とそれの保護の必要性が減り、場合によってはなくなる。外部電源が監視ユニットに電源を供給している場合、潜在的な泥棒が電池モジュールを盗むために、それを改竄する可能性がある。
【００３３】
複数の電池モジュールに対して、例えば複数の電池を電池ラックに配置する場合、1つの監視ユニットと１つの身元リーダを使用することが望ましい場合がある。電池モジュールは、その後、身元を更新することなく交換できる。身元リーダは、正しい身元が読み取られたか受信されたことを通知するだけである。したがって、電池システムは複数の電池モジュールを備えてもよい。監視ユニットは、身元が身元リーダで取得されたことを示す身元リーダからの信号に応答して、電池モジュールに制御信号を送信するように構成されてもよい。電池モジュールは、制御信号がない場合にそれぞれの電池セルの充電及び／又は放電を防ぐように構成されてもよい。
【００３４】
いくつかの実施形態において、監視ユニットは、身元リーダが身元を取得できることを示す身元リーダからの信号がないことに応答して、制御信号を１つ以上の電池モジュールに送信するように構成されてもよい。あるいは、及び／又はさらに、監視ユニットは、身元リーダが身元を取得できないことを示す身元リーダからの信号に応答して、電池モジュールに制御信号を送信するように構成されてもよい。電池モジュールは、制御信号に応じて電池セルの充電及び／又は放電を防ぐように構成されてもよい。
【００３５】
監視ユニットは、コントローラを介して電池モジュールを監視し、電池モジュールの状態に関する情報をネットワークに提供するように構成されてもよい。
【００３６】
一実施形態において、電池モジュールは、身元リーダに電源を供給するように構成されてもよい。これは有線で行うこともできるが、身元リーダに電源を供給する他の方法も可能である。この配置は、自己給電式であるため、システムの信頼性を高めることができる。身元リーダに外部電源システムを使用することも考えられるが、身元読み取りがないため、そこから期待された電力が得られなかったり、電池の充電及び／又は放電が妨げられたりするリスクが高まる。本実施形態において、正しい身元読み取りがある限り、身元リーダは電池モジュールによって駆動される。
【００３７】
身元リーダは、無線信号を介して識別子から身元を取得するように構成されてもよい。無線信号は、例えば、無線周波数信号、又は他のタイプの無線信号であってもよい。
【００３８】
他の実施形態において、身元リーダは、識別子からの信号により通知を介して身元を取得するように構成してもよい。身元リーダは、身元を信号で通知させるため識別子を作動させように構成された送信機をさらに具備してもよい。これにより、コピーが困難となるようにアクティブな識別子を配置できるため、セキュリティがさらに向上する。
【００３９】
いくつかの実施形態によれば、電池装置は、身元リーダによって取得された身元が格納された身元と一致するかどうかを確認し、格納された身元と一致する身元が取得されていない場合、電池システムの少なくとも一部を無効にするように構成されてもよい。身元が記憶された身元と一致する場合、「確認」とは、例えば、受信した身元を例えば身元リーダ又は監視ユニットで電池システムに記憶されたものと比較することである。セキュリティを強化するため、受信した身元を暗号化したり、通信チャネルを暗号化したりすることができる。
【００４０】
暗号化を使用すると、身元を変更できないため、電池装置の盗難防止機能のセキュリティが向上し、また、潜在的な泥棒は、リーダが識別子から取得する期待された身元の変更をできない。期待された身元は、身元リーダ及び／又は監視ユニットに記憶されてもよい。成功裏に電池を盗むためには、泥棒は身元を盗む必要がある。しかし、身元に関連付けられた識別子は、不動体に固定されている。
【００４１】
一実施形態において、電池装置は、特定の時間間隔中に身元が取得されなかった場合、電池システムの少なくとも一部を無効にするように構成されてもよい。これは、身元リーダに一時的な誤動作がある場合に有利である。
【００４２】
例示的な例として、監視ユニットは、５分間隔で身元の読み取り又は取得を試みてもよい。取得できないと判断したリーダは、身元を取得できないことを信号で知らせる前、又は身元が取得されたことを示す信号の送信を停止する、或いは他のタイプの信号で知らせる前に、さらに３０分間追加の試行を行うことができる。また、他の期間を使用することもできる。
【００４３】
電池システムは、電池システムとは異なる主電源を有するシステムへのバックアップ電源として配置され得ることが理解されよう。システムは、例えば、移動体通信基地局、夜間の太陽電池サイト、又は前述の実施形態のいずれかで定義された電池装置を有することから利益を得る他のシステムであり得る。
【００４４】
本発明の他の態様によれば、電池設備が提供される。電池設備は、上記の実施形態のいずれかで説明された電池装置と、不動体に固定された識別子とを具備する。
【００４５】
電池設置において、識別子は、例えば、受信信号からのエネルギーを使用して身元を信号で通知するように構成された受動送信機を具備してもよい。
【００４６】
この設備の実施形態において、識別子は、無線周波数識別、ＲＦＩＤ、タグであってもよい。ＲＦＩＤタグは、取り外し可能なブレイク・オン・ステッカであり得るステッカの形態であってもよい。ＲＦＩＤタグは、電池モジュールが意図した場所から移動したことを検出するために、他のタイプの識別子に置き換えることができる。ＲＦＩＤを使用する利点は、泥棒が独自のＲＦＩＤを複製するのが難しく、受動ＲＦＩＤタグが個別の電源を必要としないことである。
【００４７】
一態様によれば、上述の実施形態のいずれかによる、電池装置を含む移動体通信ネットワーク又は電気通信システムの基地局が提供される。
【００４８】
別の態様によれば、電池システムの動作方法が提供される。この方法は、不動体に固定された識別子から身元を取得するためのセンサを監視するステップと、身元の取得の失敗に応じて、電池システムの少なくとも一部を無効にするステップとを含む。
【００４９】
本方法の一実施形態において、本方法は、不動体に固定された識別子から身元を信号で通知させることをさらに含むことができる。
【００５０】
一実施形態において、電池装置はリチウム電池を具備してもよい。
【００５１】
本開示の実施形態は、特許請求の範囲に記載された特徴の全ての可能な組み合わせに関することに留意されたい。さらに、第１の態様による電池装置について説明した様々な実施形態は、他の態様による電池設備、基地局及び方法の実施形態と全て組み合わせ可能であり、逆もまた同様であることが理解される。
【図面の簡単な説明】
【００５２】
この態様及び他の態様は、添付の図面を参照して、以下の例示的かつ非限定的な実施形態の詳細な説明においてより詳細に説明される。以下において、例示的な実施形態が、添付の図面を参照してより詳細に説明される。
【００５３】
【図１】一実施形態による、電池装置のブロック図である。
【図２】一実施形態による、電池設備のブロック図である。
【図３】一実施形態による、電池システムを動作させる方法の概要である。
【図４】一実施形態による、電池キャビネット内の電池装置のブロック図である。    すべての図は概略図であり、一般にそれぞれの実施形態を明らかにするために必要な部分のみを示しているが、他の部分は省略又は単に示唆されているだけである。
【発明を実施するための形態】
【００５４】
図１は、一実施形態による電池装置１００のブロック図である。電池装置１００は、身元リーダ１１５と電池システム１２０を具備する。
【００５５】
身元リーダ１１５は、識別子１１０から身元を取得するように構成されてもよい。識別子１１０は、例えば、壁などの不動体１５０に固定されてもよい。
【００５６】
電池システム１２０は、不動体１５０とは異なるように配置され、電池装置１００は、身元リーダが身元を取得できないことに応答して、電池システム１２０の少なくとも一部を無効にするように構成される。
【００５７】
身元リーダ１１５は、識別子１１０から身元を読み取るように適合されてもよい。身元リーダ１１５は、例えば、有線接続又は無線接続によって電池システム１２０に接続されてもよい。
【００５８】
電池システム１２０は、監視ユニット１２５及び１つ又は複数の電池モジュール１３０を具備してもよい。電池モジュール１３０は、コントローラ１４０及び１つ又は複数の電池セル１４５を備えてもよい。
【００５９】
不動体１５０は、それを移動させるのが実際上非常に難しいように固定又は配置された物体であり得る。
【００６０】
電池システム１２０の移動及び再利用の可能性をさらに妨げるため、不動体１５０に固定された識別子１１０は、それを破壊又は損傷することなく取り外すことが実質的に不可能であるように配置されてもよい。電池装置１００は、身元リーダ１１５が不動体１５０に固定された識別子１１０の身元を取得できるように配置されてもよい。換言すると、電池装置は、識別子を読み取るために不動体１５０から適切な距離に配置される。身元リーダ１１５が識別子から身元を取得できないように電池装置１００が配置される場合、電池システム１２０は無効化される。これは、例えば、識別子１１０、身元リーダ１１５の改竄、又は電池装置１００を動かすことによって引き起こされる可能性がある。
【００６１】
上述のように、身元リーダ１１５は、識別子１１０を読み取るように適合され得る。身元リーダ１１５は、それが意図した場所に配置されているとき、識別子１１０から身元を取得し得るように、識別子１１０に関連して配置されてもよい。しかしながら、例えば盗難の場合など、識別子に関してその意図された場所にない場合、身元リーダ１１５は、識別子１１０を読み取ることができない場合がある。身元リーダ１１５は、識別子１１０に関して適切な位置にない場合、識別子１１０を読み取ることができないように、識別子１１０に関して配置されてもよい。
【００６２】
身元リーダ１１５は、例えば、ＲＦＩＤリーダであってもよく、識別子１１０は、取り外し式のＲＦＩＤタグであってもよいが、他のタイプの身元リーダ１１５及び識別子１１０も可能である。身元リーダ１１５と識別子１１０の他の組み合わせは、バーコードスキャナとバーコード、又は無線周波数信号を介して通信される身元であってもよい。これらの組み合わせにおいて、身元リーダと識別子の間の通信は有線でも無線でもよい。
【００６３】
識別子１１０は、送信機であるような、身元を信号で通知する際にアクティブであってもよいし、上記の例のように受動的であってもよい。
【００６４】
いくつかの実施形態において、身元リーダ１１５は識別子１１０を連続的にスキャンすることができ、識別子１１０が読み取り不能である場合、身元リーダ１１５は、電池システムとの接続を通じてそのような情報を電池システム１２０に通知することができる。次いで、電池システム１２０は、少なくとも部分的に、電池モジュール１３０の充電及び／又は放電を無効にすることができる。
【００６５】
身元リーダ１１５は、身元１１０が身元リーダ１１５で取得されたかどうかを電池システム１２０に信号で通知するか、通信するため、電池システム１２０との有線接続を有してもいてもよい。
【００６６】
あるいは、身元リーダ１１５は、身元が身元リーダ１１０で取得されたかどうかを電池システム１２０に無線で通知するため、電池システム１２０の送信範囲内に配置されてもよい。
【００６７】
身元リーダ１１５は、無線信号を介して識別子１１０から身元を取得するように構成されてもよい。そのような信号の一例は、無線周波数信号であり得る。
【００６８】
さらに、身元リーダ１１５は、識別子１１０からの信号を介して身元を取得するように構成されてもよい。識別子１１０は、単なる受動送信機ではなく、身元を信号で通知することができる。
【００６９】
識別子１１０が身元を能動的に信号により通知できるように配置される場合、身元リーダ１１５は、身元を信号により通知するためにそれをトリガしてもよい。
【００７０】
電池装置１００は、身元リーダ１１５によって取得された身元が記憶された身元と一致するかどうかをチェックし、記憶された身元に一致する身元が身元リーダ１１０によって取得されていない場合、電池システム１２０の少なくとも一部を無効にするように構成されてもよい。この身元は、身元リーダ１１０、監視ユニット１２５、又は１つ以上のコントローラ１４５によって格納されてもよい。比較は、身元リーダ１１０、監視ユニット１２５、又は１つ以上のコントローラ１４０によって実行されてもよい。
【００７１】
一実施形態において、電池装置は、特定の時間間隔中に記憶された身元に一致する身元が身元リーダ１１０によって取得されていない場合、電池システム１２０の少なくとも一部を無効にしてもよい。
【００７２】
身元リーダ１１５と電池システム１２０との間の信号による通知は、例えば、暗号化された通信チャネル又は暗号化されたメッセージを介した通信を通じて複製することが困難になるように構成されてもよい。
【００７３】
一実施形態において、電池モジュール１３０は、身元リーダ１１５に電力を供給するように構成することができる。これは、有線によって行うことができるが、身元リーダ１１５に電力を供給する無線方法も適している。
【００７４】
電池システム１２０は、身元リーダ１１５が身元を取得できないことを示す身元リーダ１１５からの信号による通知に応答して、それ自体の少なくとも一部を無効にするように構成されてもよい。電池システムの充電／放電機能は、例えば無効にされることが理解されるであろう。
【００７５】
電池システム１２０は、身元リーダ１１５が身元１１０を取得できることを示す身元リーダ１１５からの信号による通知がないことに応答して、それ自体の少なくとも一部を無効にするように構成されてもよい。
【００７６】
このようにして、身元が正しく読み取られた又は受信されたという信号を受信しない場合、電池システム１２０は、少なくとも部分的に無効にされてもよい。電池システム１２０は、身元を読み取れない又は受信できないという信号を受信した場合、それ自体を無効にするように構成されてもよい。
【００７７】
監視ユニット１２５は、電力バックアップマネージャ（ＰＢＭ）又はサイトコントローラであってもよい。監視ユニット１２５は、身元リーダ１１５と通信し、身元読み取りの状態に関する信号を受信することができる。監視ユニット１２５は、身元の読み取りが失敗した場合、又は身元の取得に成功したことを示す信号による通知の欠如がある場合、電池モジュール１３０にアラーム及び／又は信号を発してもよい。
【００７８】
電池システム１２０は、それぞれの電池セル１４５及びコントローラ１４０を含む複数の電池モジュール１３０を備えてもよい。
【００７９】
監視ユニット１２５は、身元リーダ１１５で身元が取得されたことを示す身元リーダ１１５からの信号による通知に応じて制御信号をコントローラ１４０に送信するように構成され、コントローラ１４０は各コントローラ１４０で制御信号がない場合、各電池セル１４５の充電及び／又は放電を防止するように構成されてもよい。
【００８０】
監視ユニット１２５は、電池モジュール１３０の状態、身元の読み、及び発生した警報に関する信号を送信するため、ネットワークモジュール１６０と無線又は有線で通信するように適合されてもよい。
【００８１】
監視ユニット１２５は、電池システム１２０の無効化をバイパスするため、ネットワーク通信を介して無効化された電池モジュール１３０にバイパスオプションを提供してもよい。これは、身元リーダ１１５や識別子１２０が破壊された場合、又は信号による通知の他の故障の場合に有利である。また、無効になった電池を再利用することも有益である。
【００８２】
電池モジュール１３０は、監視ユニット１２５に電源を供給するように構成されてもよい。例えば、監視ユニット１２５は、電源を供給するために電池モジュール１３０に配線されてもよい。監視ユニット１２５に電源を供給するための適切な無線方法もあり得る。
【００８３】
コントローラ１４０は、例えば、電池管理システム（ＢＭＳ）とすることができる。コントローラ１４０は、電池セル１４５を監視及び／又は制御するように構成されてもよい。コントローラ１４０は、例えば、監視ユニット１２５からの信号による通知又は信号による通知がないことに応答して、電池セル１４０の充電及び／又は放電を防止してもよい。監視ユニット１２５は、身元リーダ１１５で身元が取得されたことを示す身元リーダ１１５からの信号による通知に応答して、コントローラ１４０に制御信号を送信するように構成される。コントローラ１４０はこれにより、それぞれのコントローラ１４０からの制御信号がない場合、それぞれの電池セル１４５の充電及び／又は放電を防止するように構成される。
【００８４】
コントローラ１４０は、さらに、電池モジュール１３０の状態を監視ユニット１２５に信号により通知してもよい。これらの信号は、電池モジュール１３０が良好であることを示すか、電池モジュール１３０が期待どおりに機能しないことを示すエラーメッセージであり得る。
【００８５】
監視ユニット１２５は、制御信号をコントローラ１４０に送信してもよい。この信号はキープアライブ信号であってもよい。キープアライブ信号は、コントローラ１４０が電池モジュール１３０の充電及び／又は放電を無効にできないことを示す指示である。キープアライブ信号は、幾つかの理由で存在しない場合がある、例えば、とりわけ、監視ユニット１２５が改竄されたこと、身元リーダ１１５が改竄されたこと、身元リーダ１１５が識別子１１０から身元を取得できなかったことを示すことができる。これらの、及び他の理由は、盗難の企ての兆候である可能性があり、したがって、電池システム１２０は少なくとも部分的に無効にされる可能性がある。キープアライブ信号がないことは、コントローラ１４０が電池モジュール１３０を無効にする可能性があることを示す。
【００８６】
監視ユニット１２５とコントローラ１４０との間の通信は、複製又は傍受が困難であるように確立され得る。信号は、チャレンジ／レスポンス方式で認証できる。キープアライブ又は制御信号が失敗するか、失敗を示す場合、コントローラ１４０は、電池セル１４５の充電及び／又は放電を部分的に無効にしてもよい。
【００８７】
一実施形態において、例えば図４に示すように、監視ユニット４２５は、１つ以上の電池モジュール４３０と通信できる。本例では、監視ユニット及び１つ以上の電池モジュールは、ＣＡＮバス４３５を介して通信するが、他のコミュニケーション手段も可能である。正しい身元が取得されたことを保証するための監視ユニット４２５と電池モジュール４３０との間の通信は、例えば暗号化を使用することにより、安全な通信を通じて実行することができる。
【００８８】
電池モジュールは、ＣＡＮを介してステータス情報又は監視情報を報告する場合がある。
【００８９】
上述のように、一実施形態において、電池モジュール１３０は、監視情報を監視ユニット１２５に送信することができる。監視ユニット１２５は、電池モジュール１３０から受信したエラーメッセージに応じて、コントローラ１４０を介した電池モジュール１３０の充電及び／又は放電を防止することができる。
【００９０】
電池システム１２０は、装置の初期状態がロック状態に設定されないように構成することもできる。ロック状態にない電池システム１２０は、身元リーダ１５からの身元が読み取られたという信号による通知なしで使用することができる。
【００９１】
身元が身元リーダ１１５によって正常に読み取られると、監視ユニット１２５は自動的にロック状態に入り、ロックコマンドを電池モジュール１３０に送信することができる。取得された身元は、監視ユニット１２５又は身元リーダ１１５に格納されてもよい。次に、電池システム１２０及び電池モジュール１３０は、取得された身元に基づいてロック状態となる。電池システム１２５は、身元リーダ１１５又は監視ユニット１２５が格納している特定の身元を取得したことを身元リーダ１１５が信号により通知しない限り、少なくとも部分的に電池モジュール１３０の充電及び／又は放電を無効にする。
【００９２】
電池システム１２０は、例えば、電池システム１２０とは異なる主電源を有するシステムへのバックアップ電源として使用されてもよい。それは、移動通信基地局、夜間の太陽光発電サイト、又は電池装置１００を持つことから利益を得る他のシステムにおける電力バックアップ電源として使用されてもよい。
【００９３】
コントローラ１４０及び電池セル１４５は、ケース内に配置されてもよい。
【００９４】
幾つかの実施形態において、電池モジュール１４０は、リチウム電池を具備してもよい。
【００９５】
電池モジュールをオン及びオフにすることができる電池モジュール用の放電スイッチがあってもよいことが理解されよう。放電の誤り防止の場合、システムを回復できるように、放電スイッチがオンになってから、電池の放電が完全に妨げられない間、猶予期間がある。
【００９６】
図２は、一実施形態による、電池設備２００のブロック図を示す。電池設備は、識別子２１０及び電池装置２００を具備する。識別子は、不動体２５０に固定される。識別子２１０及び電池装置２００は、上記実施形態のように、それぞれ識別子及び電池装置１００のいずれかであってよい。
【００９７】
不動体２５０は、壁、又は移動体通信基地局、或いは実際に移動することが不可能なその他のオブジェクトと同様のものであってもよい。識別子は、不動オブジェクトに永久的に固定されるか、不動オブジェクトからの取り外し時に壊れるように配置される。識別子は、電池の配置と同時に移動できないように、又は少なくとも非常に移動し難いように配置することができる。
【００９８】
電池装置は、識別子２１０の身元を無線又は有線で読み取ることができるように配置されてもよい。しかし、電池の配置が意図した場所にない場合、識別子は身元リーダ２１５によって読み取ることができない場合がある。
【００９９】
識別子は、受信信号からのエネルギーを使用して身元を通知するように構成された受動送信機を具備してもよい。識別子は、例えば、無線周波数識別、ＲＦＩＤ、タグであってもよい。さらに、識別子は、ステッカ又は取り外し時破壊（break‐on‐removal）ステッカであってもよい。
【０１００】
図３は、一実施形態による、電池システムを動作させる方法３００を示している。この方法は、次のステップを具備している。
【０１０１】
・不動体に固定された識別子から身元を取得するためにセンサを監視すること３１０。
【０１０２】
・身元の取得に失敗したこと３２０に応じて、電池システムの少なくとも一部を無効にすること３３０。
【０１０３】
この方法は、身元の取得に失敗した後、識別子から身元を取得するためにセンサを監視し続けること３１０をさらに含んでもよい。
【０１０４】
当業者は、本発明が上記の好ましい実施形態に決して限定されないことを認識する。それどころか、添付の特許請求の範囲内で多くの修正及び変更が可能である。例えば、識別子と身元リーダはさまざまな方法で実装できる。さらに、識別子と身元リーダの間で通信する多くの方法がある。同様に、身元リーダ、監視ユニット、コントローラ、電池セル間の通信チャネルには、さまざまなオプションが利用できる。
【０１０５】
さらに、上記の実施形態では、身元リーダ及び監視ユニットは２つの別個のユニット又は実体として配置されているが、他のいくつかの実施形態では、身元リーダ及び監視ユニットは統合されること、すなわち１つのユニットとして配置されてもよい。より具体的には、身元リーダは、監視ユニットの一部として配置されてもよい。
【０１０６】
さらに、開示された実施形態の変形は、図面、開示、及び添付の特許請求の範囲の研究から、請求された発明を実施する際に当業者によって理解及び達成され得る。請求項において、「具備する」という語は、他の要素又はステップを除外せず、不定冠詞「ａ」又は「ａｎ」は複数を除外しない。本開示で言及される機能ユニット間のタスクの分割は、物理ユニットへの分割に必ずしも対応しない。それとは反対に、１つの物理コンポーネントが複数の機能を持ち、１つのタスクが幾つかの物理コンポーネントが協調して分散方式で実行される場合がある。特定の手段が相互に異なる従属請求項に記載されているという単なる事実は、これらの手段の組み合わせが有利に使用できないことを示すものではない。請求項中の参照符号は、範囲を限定するものとして解釈されるべきではない。
以下に、本願出願の当初の特許請求の範囲に記載された発明を付記する。
［１］
不動体（１５０）に固定された識別子（１１０）から身元を取得するように構成された身元リーダ（１１５）と、
前記不動体とは別の電池システム（１２０）と、
を具備し、
前記身元リーダが前記身元を取得できないことに応答して、前記電池システムの少なくとも一部を無効にするように構成される電池装置（１００）。
［２］
前記身元リーダは、前記身元が前記身元リーダで取得されたかどうかを前記電池システムに通知するため、前記電池システムとの有線接続を有し、又は、前記身元リーダは、前記身元が前記身元リーダで取得されたかどうかを前記電池システムに無線で通知するため、前記電池システムの送信範囲内に配置される[１]に記載の電池装置。
［３］
前記電池システムは、前記身元リーダが前記身元を取得できないことを示す前記身元リーダからの通知に応答して、それ自体の少なくとも一部を無効にするように構成される前記のいずれかに記載の電池装置。
［４］
前記電池システムは、前記身元リーダが前記身元を取得できることを示す前記身元リーダからの通知がないことに応答して、それ自体の少なくとも一部を無効にするように構成される前記のいずれかに記載の電池装置。
［５］
前記電池システムは、電池セル（１４５）と、前記電池セルを監視するために配置されたコントローラ（１４０）とを含む電池モジュール（１３０）を具備する前記のいずれかに記載の電池装置。
［６］
前記電池システムは、前記身元リーダが前記身元を取得できないことを示す前記身元リーダからの通知に応答して、前記電池セルの充電及び／又は放電を防止するように構成された[５]に記載の電池装置。
［７］
前記電池システムは、前記身元リーダが前記身元を取得したことを示す前記身元リーダからの通知がないことに応答して、前記電池セルの充電及び／又は放電を防止するように構成された[５]又は[６]に記載の電池装置。
［８］
前記電池システムは、前記身元リーダから通知を受け、前記電池システムの無効化を制御するように構成された監視ユニット（１２５）をさらに具備する前記のいずれかに記載の電池装置。
［９］
前記監視ユニットは、前記身元リーダから前記身元が取得されたことを示す前記身元リーダからの通知に応答して、前記電池モジュールに制御信号を送信するようにさらに構成され、前記電池モジュールは、前記制御信号がない場合、前記電池セルの充電及び／又は放電を防止するように構成された[５]乃至[７]のいずれかに従属する場合、[８]に記載の電池装置。
［１０］
前記監視ユニットは、前記身元リーダが前記身元を取得できなかったことを示す前記身元リーダからの通知に応答して、制御信号を前記電池モジュールに送信するようにさらに構成され、前記電池モジュールは、前記制御信号に応じて、前記電池セルの充電及び／又は放電を防止するように構成された[８]又は[９]に記載の電池装置。
［１１］
前記監視ユニットは、前記電池モジュールを監視し、前記電池モジュールの状態に関する情報をネットワーク（１６０）に提供するようにさらに構成された[８]乃至[１０]のいずれかに記載の電池装置。
［１２］
前記電池モジュールは、前記監視ユニットに電源を供給するように配置された[８]乃至[１１]のいずれかに記載の電池装置。
［１３］
前記電池モジュールは、前記身元リーダに電源を供給するように配置された[５]乃至[１２]のいずれかに記載の電池装置。
［１４］
前記身元リーダは、無線信号を介して前記識別子から前記身元を取得するように構成された前記のいずれかに記載の電池装置。
［１５］
前記身元リーダは、前記識別子からの通知を介して前記身元を取得するように構成された前記のいずれかに記載の電池装置。
［１６］
前記身元リーダは、前記身元を通知するため前記識別子を作動させるように構成された送信機を具備する[１５]に記載の電池装置。
［１７］
前記身元リーダによって取得された身元が記憶された身元に一致するかどうかを確認し、格納された前記身元と一致する身元が前記身元リーダによって取得されていない場合、前記電池システムの少なくとも一部を無効にするように構成された前記のいずれかに記載の電池装置。
［１８］
前記電池システムは、前記電池システムとは異なる主電源を有するシステムへのバックアップ電源として配置される前記のいずれかに記載の電池装置。
［１９］
前記請求項のいずれかに記載の電池装置（２００）と、
不動体（２５０）に固定された識別子（２１０）と、
を具備する電池設備。
［２０］
前記識別子は、受信信号からのエネルギーを使用して身元を通知するように構成された受動送信機を具備する[１９]に記載の電池設備。
［２１］
前記識別子は、無線周波数識別、ＲＦＩＤ、タグである[１９]又は[２０]に記載の電池設備。
［２２］
移動体通信システムの基地局、前記基地局は、請求項１乃至１８のいずれかに記載された電池装置、又は請求項１９乃至２１のいずれか１項に記載された電池設備を具備する。
［２３］
不動体に固定された識別子から身元を取得するセンサを監視すること（３１０）と、
身元の取得の失敗に応じて、前記電池システムの少なくとも一部を無効にすること（３３０）と、
を具備する電池システムの動作方法。
［２４］
不動体に固定された識別子の身元を示す通知を受信すること（３２０）をさらに具備する[２３]に記載の方法。
【図１】
0006913990.tif 000002
【図２】
0006913990.tif 000003
【図３】
0006913990.tif 000004
【図４】
0006913990.tif 000005